【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
遊技媒体を払出可能な払出装置を設けた本体枠と、前記本体枠に回動可能に軸支された前面枠と、を備え、
前記前面枠は、取付ベース部材を有し、
前記取付ベース部材の前面側には、前記払出装置から払い出された遊技媒体を貯留可能な受皿を設け、
前記取付ベース部材の裏面側には、
前記払出装置から払い出された遊技媒体を前記受皿へと誘導可能な誘導樋と、
前記前面枠を開放不能に施錠するための鍵ユニットと、
前記前面枠を軸支する蝶番を有する蝶番ユニットと、
を設けた遊技機において、
前記取付ベース部材の下部前面の起立面を覆う起立面被覆部と、前記誘導樋の出口の下縁より後方に向けて上り傾斜する傾斜面を覆う樋出口被覆部と、を有する第１プレート部材と、
前記受皿の底面を覆う底面被覆部と、前記受皿の後端面を覆う後端面被覆部と、を有する第２プレート部材と、
を備え、
前記第１プレート部材と前記第２プレート部材とを金属により形成し、
前記第１プレート部材の起立面被覆部と前記第２プレート部材の後端面被覆部とを当接させ、アース接続された前記鍵ユニット及び蝶番ユニットに止着部材を介して前記第１プレート部材を導通状態で取り付けるようにしたことを特徴とする遊技機。
【請求項２】
前記誘導樋は、前記前面枠の裏面側に突設された起立壁により形成される溝部の開口側を蓋部材で覆って構成し、
前記蓋部材の前面側の下部に溝を形成し、該溝に前記第１プレート部材の樋出口被覆部の端部を嵌入するようにしたことを特徴とする請求項１記載の遊技機。
【手続補正２】
【補正対象書類名】明細書
【補正対象項目名】０００５
【補正方法】変更
【補正の内容】
【０００５】
この発明は、上記のような問題点を解決するためになされたもので、受皿や誘導樋を被覆する各プレート部材の組み付け作業が容易であると共に、各プレート部材の間に異物や遊技媒体が挟まることを低減可能とし、静電気が蓄積され難くなる遊技機を提供することを目的とする。


【手続補正３】
【補正対象書類名】明細書
【補正対象項目名】０００６
【補正方法】変更
【補正の内容】
【０００６】
【課題を解決するための手段】
上記課題を解決するため、請求項１記載の発明は、
遊技媒体を払出可能な払出装置を設けた本体枠と、前記本体枠に回動可能に軸支された前面枠と、を備え、
前記前面枠は、取付ベース部材を有し、
前記取付ベース部材の前面側には、前記払出装置から払い出された遊技媒体を貯留可能な受皿を設け、
前記取付ベース部材の裏面側には、
前記払出装置から払い出された遊技媒体を前記受皿へと誘導可能な誘導樋と、
前記前面枠を開放不能に施錠するための鍵ユニットと、
前記前面枠を軸支する蝶番を有する蝶番ユニットと、
を設けた遊技機において、
前記取付ベース部材の下部前面の起立面を覆う起立面被覆部と、前記誘導樋の出口の下縁より後方に向けて上り傾斜する傾斜面を覆う樋出口被覆部と、を有する第１プレート部材と、
前記受皿の底面を覆う底面被覆部と、前記受皿の後端面を覆う後端面被覆部と、を有する第２プレート部材と、
を備え、
前記第１プレート部材と前記第２プレート部材とを金属により形成し、
前記第１プレート部材の起立面被覆部と前記第２プレート部材の後端面被覆部とを当接させ、アース接続された前記鍵ユニット及び蝶番ユニットに止着部材を介して前記第１プレート部材を導通状態で取り付けるようにしたことを特徴としている。
【手続補正４】
【補正対象書類名】明細書
【補正対象項目名】０００７
【補正方法】変更
【補正の内容】
【０００７】
この請求項１記載の発明によれば、第１プレート部材と前記第２プレート部材とを金属により形成し、第１プレート部材の起立面被覆部と第２プレート部材の後端面被覆部とを当接させ、アース接続された鍵ユニット及び蝶番ユニットに止着部材を介して第１プレート部材を導通状態で取り付けるようにしたので、第１プレート部材及び第２プレート部材は、それぞれアース接続された状態となり、静電気が蓄積され難くなる。
また、プレート部材の組み付け作業が容易となり、遊技機の製造時間が短縮される。
さらに、一体構成したプレート部材間に隙間が生じなくなるので、各プレート部材間に遊技媒体や異物が挟まることを低減できる。
【手続補正５】
【補正対象書類名】明細書
【補正対象項目名】０００８
【補正方法】変更
【補正の内容】
【０００８】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。
また、第１プレート部材、第２プレート部材としては、例えば、硬質の板状部材（例えば、金属、合成樹脂等からなる板状部材）が含まれる他、軟質のシート部材（例えば、ゴム、ビニールなどからなるシート部材）も含まれるものとする。また、各プレート部材の用途としては、例えば、装飾用、補強用、保護用、静電気除去用、衝撃吸収用、防音用など、どのような用途であっても良い。


【手続補正６】
【補正対象書類名】明細書
【補正対象項目名】０００９
【補正方法】変更
【補正の内容】
【０００９】
請求項２記載の発明は、請求項１記載の遊技機において、
前記誘導樋は、前記前面枠の裏面側に突設された起立壁により形成される溝部の開口側を蓋部材で覆って構成し、前記蓋部材の前面側の下部に溝を形成し、該溝に前記第１プレート部材の樋出口被覆部の端部を嵌入するようにしたことを特徴としている。
【手続補正７】
【補正対象書類名】明細書
【補正対象項目名】００１０
【補正方法】変更
【補正の内容】
【００１０】
この請求項２記載の発明によれば、誘導樋の蓋部材の前面側の下部に、第１プレート部材の樋出口被覆部の端部を嵌入するための溝を形成し、この溝に樋出口被覆部の端部を嵌入したので、第１プレート部材を誘導樋に対して位置決めすることができ、コインが挟まる虞のある隙間をなくすことができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００３６
【補正方法】変更
【補正の内容】
【００３６】
【発明の効果】
請求項１記載の発明によれば、第１プレート部材と前記第２プレート部材とを金属により形成し、第１プレート部材の起立面被覆部と第２プレート部材の後端面被覆部とを当接させ、アース接続された鍵ユニット及び蝶番ユニットに止着部材を介して第１プレート部材を導通状態で取り付けるようにしたので、第１プレート部材及び第２プレート部材は、それぞれアース接続された状態となり、静電気が蓄積され難くなる。
また、各被覆部の組み付け作業が容易となり、遊技機の製造時間が短縮される。
さらに、一体構成した被覆部間に隙間が生じなくなるので、各被覆部間に遊技媒体や異物が挟まることを低減できる。
【手続補正１５】
【補正対象書類名】明細書
【補正対象項目名】００３７
【補正方法】変更
【補正の内容】
【００３７】
請求項２記載の発明によれば、誘導樋の蓋部材の前面側の下部に、第１プレート部材の樋出口被覆部の端部を嵌入するための溝を形成し、この溝に樋出口被覆部の端部を嵌入したので、第１プレート部材を誘導樋に対して位置決めすることができ、コインが挟まる虞のある隙間をなくすことができる。
【手続補正１６】
【補正対象書類名】明細書
【補正対象項目名】符号の説明
【補正方法】変更
【補正の内容】
【符号の説明】
１      本体枠
２      前面枠
１５    コイン投入口（投入口）
１６    返却機構
２０    払出装置
３０    受皿
３１    第１のプレート部材（起立面プレート部材、樋出口プレート部材）
３１ａ  起立面被覆部
３１ｂ  樋出口被覆部
３２    第２のプレート部材（底面プレート部材）
３２ａ  底面被覆部
３２ｂ  後端面被覆部
５０    誘導樋
５１    起立壁
５１ａ  溝部
５２    蓋部材
５２ａ  溝
６０    取付ベース
５３    返却コイン受入口（受入口）
６１    鍵ユニット
６２    蝶番ユニット
１００  パチスロ遊技機（遊技機）